(57)【要約】【課題】観覧車を発光により装飾するにあたり、更なる多彩な演出や情報報知を可能とする観覧車を提供する。【解決手段】水平方向の回転軸を中心に回転駆動する回転輪１に複数のゴンドラ３を設けた観覧車において、面発光体７を取着して成る。この面発光体７は、回転輪１に取着することができ、また回転輪１を支持する支持脚２に取着しても良い。また、上記面発光体７は、発光ダイオードにて構成することが好ましく、特に長尺の保持フレームにその長手方向に沿って複数のＬＥＤランプを保持固定し、前記保持フレームを間隔をあけて複数並列に配設して構成することが好ましい。【選択図】図１
2006068309.tif 000002
【特許請求の範囲】
【請求項１】
水平方向の回転軸を中心に回転駆動する回転輪に複数のゴンドラを設けた観覧車において、面発光体を取着して成ることを特徴とする観覧車。
【請求項２】
上記面発光体を、回転輪に取着したことを特徴とする請求項１に記載の観覧車。
【請求項３】
上記面発光体を、回転輪を支持する支持脚に取着したことを特徴とする請求項１又は２に記載の観覧車。
【請求項４】
上記面発光体は、発光ダイオードにて構成されるものであることを特徴とする請求項１乃至３のいずれかに記載の観覧車。
【請求項５】
上記面発光体は、長尺の保持フレームにその長手方向に沿って複数のＬＥＤランプを保持固定し、前記保持フレームを間隔をあけて複数並列に配設して構成されるものであることを特徴とする請求項４に記載の観覧車。
【発明の詳細な説明】
【技術分野】
【０００１】
本発明は観覧車に関するものである。
【背景技術】
【０００２】
一般に、観覧車は、乗客が乗る複数のゴンドラ３が環状に移動して地上数十メートルの高さまで上昇するもので、乗客は眺望を楽しむものであって、極めて大型のものとされる（図１，２参照）。
【０００３】
しかしながら、上記の従来の観覧車では、それに乗っている人はその分楽しめるが、それ以外の人にとっては、単なる構造物に過ぎなかった。
【０００４】
また、観覧車は従来、主として遊園地や博覧会場などに設置されていたが、近年の都市開発などに伴い、観覧車を単独で設置する例が増えてきている。これらの観覧車は夜間も稼動する場合が多くなっている。
【０００５】
そこで、本出願人らは、従来、観覧車の回転輪１を構成する環状杆５や径方向杆４に発光管を取り付けて、これによりイベントなどの残り時間を表示するカウントダウン表示をしたり、色彩で天気予報や気温を表示したり、花火状の模様を表示したりすることを提案している（特許文献参照）。これにより、大型の観覧車を発光管にて装飾することで美麗な景観が現出されるものであり、またイベントへの関心を促してイベントに向けて気分を盛り上げる効果や、公共性の高い情報を報知する効果なども発揮するものである。また、夜間に観覧車を稼動させる際には、幻想的な演出効果を発揮し得るものである。
【０００６】
上記の観覧車は、発光管による装飾により、優れた演出機能や情報報知機能が発揮されるものであるが、発光管は回転輪１を構成する環状杆５や径方向杆４に発光管を取り付けるものであるため、これらの環状杆５や径方向杆４に沿った線状の発光をなすのみであり、その演出効果や情報報知効果には自ずと限界があった。
【特許文献１】特許第３４１０３１６号公報
【特許文献２】特許第３４３６４６８号公報
【発明の開示】
【発明が解決しようとする課題】
【０００７】
本発明は上記の点に鑑みて為されたものであり、観覧車を発光により装飾するにあたり、更なる多彩な演出や情報報知を可能とする観覧車を提供することを目的とするものである。
【課題を解決するための手段】
【０００８】
本発明に係る観覧車は、水平方向の回転軸を中心に回転駆動する回転輪１に複数のゴンドラ３を設けた観覧車において、面発光体７を取着して成ることを特徴とするものである。
【０００９】
上記面発光体７は、回転輪１に取着することができ、また回転輪１を支持する支持脚２に取着することもできる。
【００１０】
また、上記面発光体７は、発光ダイオードにて構成することが好ましく、特に長尺の保持フレーム９にその長手方向に沿って複数のＬＥＤランプ８を保持固定し、前記保持フレーム９を間隔をあけて複数並列に配設して構成することが好ましい。
【発明の効果】
【００１１】
本発明によれば、観覧車に取着した面発光体７に様々な静的又は動的な図形、文字、模様等を表示して装飾による演出効果を発揮させたり、各種情報を報知する映像等を表示して多彩な情報の報知を行うことができるものであり、またこのとき回転する観覧車にこのような装飾を施すことにより特異な演出効果を発揮して観察者に対して強い印象を与えることができるものである。
【００１２】
面発光体７は回転輪１に取着することにより回転輪１の回転駆動に伴って回転する面発光体７を形成することができ、また支持脚２に取着することにより回転輪１の回転によらず配置位置が固定された面発光体７を形成することができる。特に面発光体７を回転輪１と支持脚２との双方に取着すると、複合的な装飾が可能となって、観察者に更に強い印象を与えることができる。
【００１３】
また、発光ダイオードにて面発光体７を構成することで、面発光体７による観覧車の荷重負担を軽減することができ、且つ消費電力の抑制もなすことができる。
【発明を実施するための最良の形態】
【００１４】
以下、本発明をその実施をするための最良の形態に基づいて説明する。
【００１５】
観覧車は、回転輪１と、この回転輪１を回転自在に保持する支持脚２とを備えている。また、この回転輪１の外径側には、複数のゴンドラ３が吊下げられている。
【００１６】
具体的に述べると、図１，２に示すように、回転輪１は、放射状に略等角度に配設される複数本の径方向杆４と、その径方向杆４を保持する複数本の環状杆５とで構成される一対の枠体６，６を有する。この枠体６，６は鉄骨材等から成り、複数本の連結杆１３にて所定間隔で連結保持されている。
【００１７】
この観覧車には、面発光体７が取着される。この面発光体７は、ネオン管、寸丸球（白熱小型球）、発光ダイオード等の適宜の光源にて構成することができる。例えば、複数の発光ダイオードをマトリックス状に配設し、各発光ダイオードを明滅等させることにより、動的又は静的な図形や映像の表示を行うことができる。
【００１８】
面発光体７の設置位置は特に制限されないが、観覧車の回転輪１や支持脚２に取着することができる。回転輪１に取着する場合には、回転輪１が回転駆動するに伴って回転する面発光体７を形成することができ、また支持脚２に取着する場合には、回転輪１の回転によらず配置位置が固定された面発光体７を形成することができる。面発光体７は回転輪１と支持脚２の一方に取着しても良く、また双方に取着しても良い。また、観覧車の、回転輪１の回転軸方向の一面側のみに面発光体７を取着しても良く、両面共に面発光体７を取着しても良い。
【００１９】
このとき、面発光体７を発光ダイオードにて構成すると、観覧車にかかる荷重を特に軽減することができる。
【００２０】
すなわち、発光ダイオードは小型で高輝度の発光が可能であり、このため、発光ダイオードを高密度に配置する面発光体７にて精細な画像の表示を行うようにしても、面発光体７の軽量化が可能で、面発光体７を取着した場合の面発光体７の自重による観覧車へ荷重負担を軽減することができる。
【００２１】
また、観覧車は風に対する耐性を得るために回転輪１を上記のように環状杆５や径方向杆４などのフレームにて形成し、また支持脚２もフレームにて構成して、観覧車が受ける風圧を低減しているものであるが、このような観覧車に面発光体７を取着すると、風を受ける面積が増大して、観覧車にかかる風圧が増大し、風に対する耐性が損なわれる。しかし、発光ダイオードは上記のように小型で高輝度な発光が可能となり、このため発光ダイオードをマトリクス状に配列して面発光体７を作製すると、発光ダイオードを高密度に配置しても発光ダイオード間に多くの隙間を形成することができる。このため、発光ダイオードにて形成される面状発光体を観覧車に取着しても、風による影響を抑制することが可能となる。特に高輝度発光ダイオードと呼ばれるものでは、小型且つ非常に高輝度な発光が可能であるため、特に有効である。
【００２２】
また、光源に発光ダイオードを使用することから消費電力を抑制することもできるものである。
【００２３】
面発光体７の取着方法は特に制限されないが、観覧車の風圧に対する耐性を維持するために特に好ましい構成は次の通りである。
【００２４】
図３に示すように、面発光体７の前面側には、長尺の保持フレーム９にその長手方向に沿って複数のＬＥＤランプ８を配設し、前記保持フレーム９を間隔をあけて複数本並列に配設する。これにより、ＬＥＤランプ８が平面的にマトリックス状に配置される。この保持フレーム９には、ＬＥＤランプ８への給電や制御のための配線等が内装される。
【００２５】
また、面発光体７の背面側には、上記保持フレーム９と交差するように複数の支持フレーム１０が、間隔をあけて並列に配設されている。この支持フレーム１０と保持フレーム９とは、その交差する位置においてビス等の固着具１１などで固着され、これにより、保持フレーム９は支持フレーム１０によって支持されている。
【００２６】
この面発光体７におけるＬＥＤランプ８としては、特に青・赤・緑の発光ダイオードを組み合わせたフルカラーランプを用いると、フルカラー表示を可能にすることができる。
【００２７】
上記のようにして構成される面発光体７は、格子状に配置された保持フレーム９と支持フレーム１０とで構成されることから、フレームの間に隙間が形成されることとなり、例えば開口率が６０％程度になるように構成することができる。このため、面発光体７に風が吹き付けられた場合でもこの面発光体７が受ける風圧を低減することができ、また面発光体７の軽量化をなして観覧車に対する面発光体７による負担荷重を軽減することもできる。そのために観覧車に大面積の面発光体７を取着することができるものである。
【００２８】
このような面発光体７を、観覧車の回転輪１や支持脚２に取着することができる。例えば上記のような構成の支持フレーム１０を回転輪１を構成する環状杆５や径方向杆４などのフレームに直接取着し、或いは別途のフレーム等の支持部材１２を介して取着することにより、面発光体７を回転輪１に取着することができ、また支持フレーム１０を支持脚２を構成するフレームに取着することにより、面発光体７を支持脚２に取着することができる。
【００２９】
支持脚２に面発光体７を取着するにあたっては、例えば図１，２に示すように、支持脚２の上端部において面発光体７（７ａ）を取着することにより、回転輪１の中心部に面発光体７を配設することができる。このような構成に限らず、面発光体７は支持脚２における適宜の位置に取着することができる。
【００３０】
また、回転輪１に面発光体７を取着するにあたっては、回転輪１の適宜の位置に適宜の形状・寸法の面発光体７（７ｂ）を、適宜の個数だけ取着することができる。例えば、正面視矩形状、円形状、扇形状等の適宜の形状を有する面発光体７を回転輪１に、その回転方向に沿って複数並べて配設して、複数の面発光体７が回転輪１の回転に伴い、回転輪１の回転軸を中心に周回するようにしたり、また回転輪１の中心軸を中心とする一又複数のドーナツ状の面発光体７を配設するなどして、これにより特異な演出効果が発揮されるようにし、観察者に対して強い印象を与えるものである。また回転輪１の略全面に亘る大きな面発光体７を取着すると、観覧車の回転に伴って回転する大型の面発光体７を形成することができる。
【００３１】
このような面発光体７には、様々な静的又は動的な図形、文字、模様等を表示して装飾による演出効果を発揮させたり、各種情報を報知する映像等を表示して多彩な情報の報知を行うことができるものであり、またこのとき回転する観覧車にこのような装飾を施すことにより特異な演出効果を発揮して観察者に対して強い印象を与えることができるものである。
【００３２】
また、例えば支持脚２に取着されて回転輪１の中央部に配置された面発光体７に主要な情報（例えば広告等の主要な内容）を示す映像等を表示し、また回転輪１に取着されている面発光体７には前記の主要な情報に関連する事項（例えば具体的な商品等）を示す映像等を表示するなどして、複合的な情報の報知を行い、観察者に対して強い印象を与えることができるものである。
【図面の簡単な説明】
【００３３】
【図１】本発明の実施の形態の一例を示す正面図である。
【図２】同上の側面図である。
【図３】同上の実施の形態における面発光体の構成の一例を示すものであり、（ａ）は一部の正面図、（ｂ）は（ａ）の一部破断した平面図、（ｃ）は（ａ）の一部破断した側面図である。
【符号の説明】
【００３４】
１  回転輪
２  支持脚
３  ゴンドラ
８  ＬＥＤランプ
７  面発光体
９  保持フレーム
【図１】
2006068309.tif 000003
【図２】
2006068309.tif 000004
【図３】
2006068309.tif 000005